(57)【要約】【課題】床掃除を行いながら、机、家具等の掃除も簡単に行える使用勝手の良い電気掃除機を提供する。【解決手段】使用者の身体に付ける本体２９と、集塵室〈図示せず〉に連通する第１と第２の吸入口３５、３６と、前記第１の吸入口３５に接続される第１のホース３９と、前記第２の吸入口３６に接続される第２のホース４８と、一端が前記第１のホース３９に接続される延長管４１と、前記延長管４１の他端に接続される床用吸込具４７を備えたもので、床用吸込具４７で床掃除をする途中で、隙間ノズル５１を接続した第２のホース４８でも掃除ができる。【選択図】  図３
2004290343.tif 000002
【特許請求の範囲】
【請求項１】
塵埃を集積する集塵室と、吸引力を生成する電動送風機を有すると共に使用者の身体に付ける本体と、前記集塵室に連通する第１と第２の吸入口と、前記第１の吸入口に接続される第１のホースと、前記第２の吸入口に接続される第２のホースと、一端が前記第１のホースに接続される延長管と、前記延長管の他端に接続される床用吸込具を備えた電気掃除機。
【請求項２】
本体を背負うための背負具備えた請求項１記載の電気掃除機。
【請求項３】
本体を使用者の腰部に取り付けるための取り付け具を備えた請求項１または２記載の電気掃除機。
【請求項４】
第１の吸入口と第２の吸入口を、本体の下方に設けた請求項１〜３のいずれか１項記載の電気掃除機。
【請求項５】
第１の吸入口と第２の吸入口を左右方向に離反させて設けた請求項１〜４のいずれか１項記載の電気掃除機。
【請求項６】
第１の吸入口と第２の吸入口を左右方向に離反させて設けるとともに、この第１、第２の吸入口に接続する第１、第２のホースは左右入れ替え接続可能とした請求項１〜５のいずれか１項記載の電気掃除機。
【請求項７】
第１の吸入口と第２の吸入口を左右方向に離反させて設けるとともに、この第１の吸入口に接続した第１のホースとともに第２の吸入口に接続した第２のホースにも延長管が接続できる構成として、前記延長管を第１のホース或いは第２のホースに差し替えて使用可能とした請求項１〜６のいずれか１項記載の電気掃除機。
【請求項８】
第１のホースおよび／又は第２のホースに係止部を設け、前記係止部が係止される被係止部を背負具および／または取り付け具に設けた請求項２または３記載の電気掃除機。
【請求項９】
第１のホースと第２のホースのいずれか一方を介して塵埃を吸引する際に、他方のホース内の吸引風の流れを遮断する遮断体を設けた請求項１〜８のいずれか１項記載の電気掃除機。
【請求項１０】
遮断体を操作する遮断体操作部を備えた請求項９記載の電気掃除機。
【請求項１１】
第１のホースの上流側端部に延長管を接続するための第１の接続パイプを設け、前記第１の接続パイプ又は／および第２のホースの上流側端部に遮断体操作部を配した請求項１０記載の電気掃除機。
【発明の詳細な説明】
【０００１】
【発明の属する技術分野】
本発明は、一般家庭、ホテル、商店等で使用される電気掃除機に関するものである。
【０００２】
【従来の技術】
一般家庭、ホテル、商店などでは、家具、机、テーブル、棚等が多いため、床用吸込具による通常の床面掃除に加え、隙間ノズル、棚ブラシなどの吸込用アタッチメントを使用して掃除をすることが多い。
【０００３】
以下に、従来の電気掃除機のタイプ毎に、床用吸込具による床面掃除と、隙間ノズルによる掃除の切り替え方法について説明する。
【０００４】
図１０は、従来のキャニスター型電気掃除機を示すもので、１は、集塵室２、電動送風機３を内蔵する電気掃除機本体で、集塵室２に連通する吸入口４にホース５の一端が接続される。ホース５の他端には掃除の際に手で持つ手元部６が設けられ、その手元部６に延長管７の一端が着脱自在に接続される。延長管７の他端には、床面清掃用の床用吸込具８が同じく着脱自在に接続されている。
【０００５】
床面清掃時は、図１０（ａ）に示すような形態で電気掃除機を運転するが、途中で家具、机、棚などを掃除する場合は、床用吸込具８に接続した延長管７を手元部６から取り外し、図１０（ｂ）示すように、替わりに隙間ノズル９を手元部６に差し込んで使用する。
【０００６】
次に、従来の縦型電気掃除機で、床用吸込具と隙間ノズルの切り替えを容易にしたものがある。以下図１１を用いて説明する。
【０００７】
１０は縦型電気掃除機の本体で、その上部には、本体１０の移動並びに操作用のハンドル１０ａが設けられている。本体１０の内部には吸気口１２に連通したゴミ収納袋１１を設けている。１３は本体１０の下部に設けた床用吸込具である。床用吸込具１３は、本体ホース１４を介して前記吸気口１２に接続されている。一方、隙間ノズル１５は延長ホース１６の一端に接続され、延長ホース１６の他端は、図１１に示されるような構成で本体ホース１４に接続されている。つまり図１２に示されるように、本体ホース１４と延長ホース１６と吸気口１２とは、Ｔ字型に接続された構成となっている。１７はこの吸気口１２に設けた切換弁で、その端部に設けた切換レバー１７ａを操作することによって、塵埃を含んだ吸引風の通路を本体ホース１４側と延長ホース１６側とに切り換えられるようになっている。
【０００８】
上記構成による動作は以下の通りである。床面を掃除する時には、切替レバー１７ａを操作して、切替弁１７で延長ホース１６側の通路を遮断して、本体ホース１４側の通路を吸気口１２に連通させて、床用吸込具１３からの塵埃が本体ホース１４を通ってゴミ収納袋１１内に吸引されるようにする。
【０００９】
次に、タンスの隙間や棚等を掃除するときには、使用者は切換レバー１７ａを延長ホース１６側に切り換えて、本体ホース１４側の通路を切替弁１７で遮断する。それにより、塵埃は、隙間ノズル１５からのみ吸引されるようになる（例えば、特許文献１参照）。
【００１０】
また、軽量化を図った携帯型の電気掃除機として、図１３に示すようなものもある。図において、２０は電池や蓄電池（図示せず）で駆動する電気掃除機本体で、２１は、塵埃を吸引するための吸入口である。机の上などを掃除するときは、図１３（ａ）に示すような形態で用い、床面を掃除するときは、図１３（ｂ）に示すように、一端に床用吸込具２２を接続した延長管２３の他端を吸入口２１に接続して運転する。また、棚や、家具の隙間などを掃除する場合は、図１３（ｃ）に示すように、吸入口２１より延長管２３を外し、替わりに隙間ノズル２４を差して使用する。
【００１１】
【特許文献１】
特開平６−１７８７４４号公報
【００１２】
【発明が解決しようとする課題】
上述の従来型のキャニスター型電気掃除機の場合、床掃除を行いながら、棚や家具などを掃除するときは、延長管７と隙間ノズル９の差し替えを頻繁に行わなければならず、特に高齢者にとっては大変な作業となる。また、一時的に外した延長管７を床に置いたり、或いは机などに立てかけることが必要になるが、前者の場合は、都度しゃがまなければならず、また、後者の場合は、延長管に、車輪（図示せず）のついた床用吸込具が付いているので不安定になり、立てかけるのが困難で、非常に使い勝手が悪かった。さらに、隙間ノズル９を使用しながら移動する場合、ホースを引っ張って重い電気掃除機本体１を移動させなければならず、非常に使い勝手が悪かった。
【００１３】
また、従来の縦型電気掃除機の場合は、床面の掃除の際は勿論、家具の隙間や棚等を掃除しながら移動する際、隙間ノズル１５を接続した延長ホース１６を持った手と反対側の手でハンドル１０ａを持って、重い本体１０を頻繁に移動させなければならず、非常に体力を必要とし、使い勝手が悪かった。
【００１４】
また、従来の携帯型の電気掃除機の場合は、前述のキャニスター型の電気掃除機同様、延長管２３と隙間ノズル２４の差し替えが不可欠で、しかも一時的に外した延長管２３の処置がやはり面倒であった。さらに携帯型の電気掃除機は軽量化されているとはいえ、充電式の電気掃除機ともなると、蓄電池（図示せず）を内蔵しているため其れなりに質量があり、長時間掃除を行う時は手に加わる負担は非常に大きかった。また、携帯型電気掃除機は、簡単な掃除を目的に開発されたものであるため、吸引力、集塵容量が小さく本格掃除には不向きである。
【００１５】
本発明は、上記諸課題を解決し、延長管、ホース、吸込具等の差し替えを行うことなく、本格的な床掃除を行いながら、机、家具等の掃除も簡単に行える使用勝手の良い電気掃除機を提供することを目的とするものである。
【００１６】
【課題を解決するための手段】
上記の目的を達成するために本発明は、塵埃を集積する集塵室と、吸引力を生成する電動送風機を有すると共に使用者の身体に付ける本体と、前記集塵室に連通する第１と第２の吸入口と、前記第１の吸入口に接続される第１のホースと、前記第２の吸入口に接続される第２のホースと、一端が前記第１のホースに接続される延長管と、前記延長管の他端に接続される床用吸込具を備えた電気掃除機としたもので、電気掃除機本体を引きまわすことなく、一方の手で床掃除を行っている途中に、ホースや掃除用アタッチメントを差し替えせずに、他方の手で机、家具などの掃除を簡単におこなうことができるものである。
【００１７】
【発明の実施の形態】
本発明の請求項１および２記載の発明は、塵埃を集積する集塵室と、吸引力を生成する電動送風機を有すると共に使用者の身体に付ける本体と、前記集塵室に連通する第１と第２の吸入口と、前記第１の吸入口に接続される第１のホースと、前記第２の吸入口に接続される第２のホースと、一端が前記第１のホースに接続される延長管と、前記延長管の他端に接続される床用吸込具を備えたもので、電気掃除機本体を引きまわすことなく、一方の手で床掃除を行いながら、ホースや掃除用アタッチメントを差し替えせずに、他方の手で机、家具などの掃除を簡単におこなうことができるものである。
【００１８】
本発明の請求項３記載の発明は、本体を使用者の腰部に取り付けるための取り付け具を備えたもので、電気掃除機を身につけたときの重心が下方に位置するので、階段などの掃除の為に登り下りる際、安定感がまし、より安全に掃除作業ができるものである。
【００１９】
本発明の請求項４記載の発明は、第１の吸入口と第２の吸入口を、本体の下方に設けたもので、電気掃除機本体の重心が下がり、本体を身に付けた時に安定感がある。
【００２０】
本発明の請求項５記載の発明は、第１の吸入口と第２の吸入口を左右方向に離反させて設けたもので、第１、第２のホースが短く形成でき、電気掃除機本体に加わる質量が減り、身に付けた時の負担が減るものである。
【００２１】
本発明の請求項６記載の発明は、第１の吸入口と第２の吸入口を左右方向に離反させて設けるとともに、この第１、第２の吸入口に接続する第１、第２のホースは左右入れ替え接続可能としたもので、使用者の利き手に合わせて、第１、第２のホースの左右入れ替えが自由にできるようになるものである。
【００２２】
本発明の請求項７記載の発明は、第１の吸入口と第２の吸入口を左右方向に離反させて設けるとともに、この第１の吸入口に接続した第１のホースとともに第２の吸入口に接続した第２のホースにも延長管が接続できる構成として、延長管を第１のホース或いは第２のホースに差し替えて使用可能としたもので、使用者の利き手に合わせ、床用吸込具が接続された延長管を、扱いやすい側のホースに自由に接続することができる。
【００２３】
本発明の請求項８記載の発明は、第１のホースおよび／又は第２のホースに係止部を設け、前記係止部が係止される被係止部を背負具および／または取り付け具に設けたもので、掃除中に一時的に手をホースから離したい時に、立ったままで、ホースを被係止部に一時的に引っ掛け、手を自由にすることができる。
【００２４】
本発明の請求項９記載の発明は、第１のホースと第２のホースのいずれか一方を介して塵埃を吸引する際に、他方のホース内の吸引風の流れを遮断する遮断体を設けたもので、一方のホースを使用して掃除をしているときに、他方のホースから外気が吸引されることがないので、吸引力が低下せず、掃除に支障をきたすことがない。
【００２５】
本発明の請求項１０記載の発明は、遮断体を操作する遮断体操作部を使い勝手の良い場所に配することで、遮断体の操作を容易に行うことができる。
【００２６】
本発明の請求項１１記載の発明は、第１のホースの上流側端部に延長管を接続するための第１の接続パイプを設け、前記第１の接続パイプ又は／および第２のホースの上流側端部に遮断体操作部を配したもので、第１のホース、第２ホース第１の接続パイプを持ちかえることなく遮断体の操作ができるので、使い勝手の良い電気掃除機が供給できる。
【００２７】
【実施例】
（実施例１）
以下、本発明の第１の実施例について図１を用いて説明する。なお従来例と同一部品については同一名称、同一符号を付してその説明を省略する。
【００２８】
図１（ａ）は、本実施例の電気掃除機本体２９の表側を、図１（ｂ）は裏側をそれぞれ示している。電気掃除機本体２９の上部には吸引力を生成する電動送風機３１が内蔵され、略下半分には塵埃を捕捉する濾紙から形成されたごみ袋３２を収納する集塵室３３が配され、前記集塵室３３と電動送風機３１の吸引側は連通している。３０は、電動送風機３１、後述するギヤ−モータ５７などの電気部品の電源となる高性能の蓄電池であり、外部の充電装置〈図示せず〉で充電できるようになっている。
【００２９】
３４は、集塵室３３の開口縁３３ａを覆う集塵室蓋で、ごみ袋３２の交換時に開閉するものである。電気掃除機本体２９の下方には、且つ左右方向に互いに離反して第１の吸入口３５、第２の吸入口３６が設けられ、それぞれが集塵室３３に連通している。３７は、電動送風機３１の排気を排出するための排気口である。
【００３０】
３８は、電気掃除機本体２９を背中に背負うための背負具で、ベルト状に形成されると共に、電気掃除機本体２９に脱着自在に取り付けられている。
【００３１】
図２において、３９は第１のホースで、一端は第１の吸入口３５に着脱自在に接続される。第１のホース３９の他端には、把手４０を備えると共に延長管４１の一端を接続するための第１の接続パイプ４２が設けられている。
【００３２】
第１の接続パイプ４２には、電動送風機３１の運転を制御する運転スイッチ４３と、後述の遮断体５０を操作する操作スイッチ４４が配され、それぞれ第１のホース３９に内蔵された導電線４５を介して、電気掃除機本体２９に内蔵され電動送風機３１を駆動制御する制御回路４６および遮断体制御回路４６ａに電気的に接続されている。
【００３３】
延長管４１の他端には、床面の塵埃を吸引する床用吸込具４７が着脱自在に接続されている。４８は、第２のホースで、一端は第２の吸入口３６に着脱自在に接続され、他端には、握部４９を有する隙間ノズル５１が接続されている。
【００３４】
図３は、本発明の電気掃除機の使用状態を示すもので、使用者は、背中に電気掃除機本体２９を背負い、さらに第１、第２の吸入口３５、３６には第１、第２のホース３９、４８が接続されている。
【００３５】
次に、第１、第２の吸入口３５、３６に設けられ第１、第２のホース３９、４８内の吸引風を遮断する遮断体５０の構成について、第１の吸入口３５側を例にし、図４を用いて説明する。
【００３６】
第１の吸入口３５の内壁の一部に断面円弧状の窪み部５２が設けられている。
【００３７】
遮断体５０は、回動軸５４に固着され、回動軸５４を回転させた時に窪み部５２の内壁に周接しながら移動し第１の吸入口３５内の通路を遮蔽するようになっている。
【００３８】
５４ａは、回動軸５４の両端を回転自在に支持する軸受け部で、第１の吸入口３５の周壁３５ａに設けられている。
【００３９】
５５は、第１の吸入口３５の外側に位置し、回動軸５４の一端に固着された略１／４円のギヤで、外周にギヤ−歯５５ａが設けられている。５６は、ギヤ−歯５５ａに噛み合うと共にその回転軸方向が回動軸５４の軸方向と直交する歯車で、その歯車５６はギヤ−モータ５７で回転駆動される。
【００４０】
図４（ａ）は、遮断体５０が窪み部５２内に位置して、第１の吸入口３５の吸引通路を開放している状態を示している。次に図４（ｂ）に示すように、ギヤ−モータ５７を駆動して歯車５６を回転させて、ギヤ−５５を矢印方向に回転させると、図４（ｃ）に示されるように遮断体５０が同吸引通路を遮断する。
【００４１】
第２の吸入口３６にも、第１の吸入口３５に設けた窪み部５２、遮断体５０、回動軸５４、ギヤ−５５、歯車５６、ギヤ−モータ５７と同様のものが同一構成で設けられている。
【００４２】
図５は、床用吸込具４７による床面掃除、隙間ノズル５１による棚掃除の場合の第１の吸入口３５、第２の吸入口３６のそれぞれに設けた遮断体５０の動作を示す図である。
【００４３】
上記構成による動作は以下の通りである。使用者は図３に示すように電気掃除機本体２９の第１、第２の吸入口３５、３６に第１、第２のホース３９、４８のそれぞれの一端を接続し、電気掃除機本体２９を背負う。次に使用者は右手で第１の接続パイプ４２の把手４０を握り、左手で第２のホース４８に接続された隙間ノズル５１の握部４９を握る。
【００４４】
そして、第１の接続パイプ４２に設けた運転スイッチ４３を操作して、電動送風機３１を、強−弱いずれかの希望の吸引力で運転開始する。第１の接続パイプ４２に配した操作スイッチ４４を、「床掃除」（図示せず）側にセットして掃除を開始する。その間、図５に示されるように、第１の吸入口３５に設けた遮断体５０は、第１の吸入口３５の通路を開放し、他方、第２の吸入口３６に設けた遮断体５０は、第２の吸入口３６の吸引通路を遮断しているため、塵埃は床用吸込具４７からのみ吸引される。
【００４５】
次に、床面の掃除途中に、棚や、家具などを掃除する場合は、操作スイッチ４４を、「隙間掃除」（図示せず）側にセットする。すると、図５に示されるように、第１の吸入口３５に設けた遮断体５０は、第１の吸入口３５の通路を遮蔽し、他方、第２の吸入口３６に設けた遮断体５０は、第２の吸入口３６の吸引通路を解放する。これにより塵埃は隙間ノズル５１からのみ吸引される。
【００４６】
このように、本実施例によれば、右手で床用吸込具４７を操作して床面を掃除している途中に、棚や家具を掃除する場合は、延長管４１を取り外したりすることなく、単に操作スイッチ４４を「隙間掃除」側に切り替えて、左手に持った隙間ノズル５１で、掃除するだけで良い。また、電動送風機３１を内蔵する比較的質量のある電気掃除機本体２９は、背中に背負われているので、両手に加わるのは、ホース、延長管の質量程度なので、非常に操作がしやすく疲労も少ないものである。
【００４７】
なお、第２の吸入口３６内の通路を通常遮断体５０で閉じておき、操作スイッチ４４を操作した時だけ、第１の吸入口３６内の通路を遮断体５０で閉じ、第２の吸入口３６の遮断体５０を開くようにすれば、操作スイッチ４４の構成を簡略化できるとともに、電気掃除機を使用する際、運転スイッチ４３を入れるだけで直ちに床面掃除が開始できる。
【００４８】
なお、第１の吸入口３５と第１のホース３９の接続形状と、第２の吸入口３６と第２のホース４８との接続形状とを同一にしておくと、床用吸込具４７、延長管４１を接続した第１のホース３９と隙間ノズル５１を接続した第２のホース４８の差し替えが自在になり、使用者は、自分の利き手に合わせて第１のホース３９、第２のホース４８を接続して、電気掃除機を使用することができるものである。
【００４９】
また、本実施例では、第１、第２のホース３９、４８が接続される第１、第２の吸入口３５、３６が電気掃除機本体２９の下方に位置しているので、電気掃除機本体２９の重心が下側に位置することになり、背負っていても非常に安定感がある。また、第１、第２の吸入口３５、３６を上方に設けたものに較べ、第１、第２のホース３９、４８が短くて済むので、電気掃除機本体２９に加わる質量が減り、その分身体に加わる負担も軽減されるものである。
【００５０】
また、第１、第２の吸入口３５、３６が左右方向に離反させて設けているので、電気掃除機本体２９の中央部に隣接させて設けたものに較べ、  第１、第２のホース３９、４８が短くて済むので、軽量化が図られ、使用勝手も向上する。
【００５１】
また、第１、第２のホース３９、４８のそれぞれの上流側端部の形状を同一にすれば、第１、第２の吸入口３５、３６に対応して、第１、第２のホース３９、４８を接続した状態で、使用者の利き手に合わせて、第１、第２のホース３９、４８のいずれか使いやすいほうに、床用吸込具４７を接続した延長管４１を接続すれば良い。勿論この場合は、他方のホースに隙間ノズル５１を接続するのは言うまでもない。なお、上記実施例では、第２のホース４８には隙間ノズル５１を接続したが、棚ブラシ、家具ブラシなどの他の吸込用アタッチメントでもよいことは改めて言うまでも無い。
【００５２】
（実施例２）
以下、本発明の第２の実施例について図６、７を用いて説明する。なお上記実施例と同一構成部品については同一名称、同一符号を付してその説明を省略する。
【００５３】
第１の実施例では、電気掃除機本体２９を背負具３８で、背負って使用するようにしたが、本実施例では、図に示すように、電気掃除機本体２９を使用者の腰部６２に取り付けるためのベルト状の取り付け具６３を、電気掃除機本体２９に着脱自在に設けたものである。なお、電気掃除機本体の運転は、第１の実施例と同一なので説明は、省略する。本実施例によれば、電気掃除機本体２９を背中に背負うのに較べ重心が下にくるので、電気掃除機本体２９を身につけて階段などを上り下りする場合、安定感があり、掃除作業もしやすくなるものである。
【００５４】
（実施例３）
以下、本発明の第３の実施例について図８をもとに説明する。なお上記実施例と同一構成部品については同一名称、同一符号を付してその説明を省略する。
【００５５】
本実施例は、図８に示すように、第２のホース４８に係止部６０を、前記係止部６０が係止される被係止部６１を背負具３８の一部に設けたものである。
【００５６】
上記構成により、右手で床面を掃除している途中で、左手で机の小物等を移動させたい時に、第２のホース４８の係止部６０を背負具３８にある被係止部６１に一時的に係止するだけで良いので、掃除作業の効率化が図れるものである。
【００５７】
本実施例では、  第２のホース４８に係止部６０を設けたが、第１のホース３９にも係止部６０を設けても同様の効果が得られることは言うまでもない。
【００５８】
また、電気掃除機本体２９を使用者の腰部６２に取り付けるために取り付け具６３を使用する時は、その取り付け具６３に被係止部６１を設ければ良いことも言うまでもない。
【００５９】
（実施例４）
以下、本発明の第４の実施例について図９をもとに説明する。なお上記実施例と同一構成部品については同一名称、同一符号を付してその説明を省略する。
【００６０】
上記第１の実施例では、遮断体５０を第１、第２の吸入口３５、３６の両方に設けたが、本実施例は、１個の遮断体で同様の効果を得ようとするものである。
【００６１】
図９において、６４は、第１の実施例における第１の吸入口３５、第２の吸入口３６に替わるもので、管体で形成されたＴ字状の接続具で、一端は、集塵室３３に連通し、他の二つの端部は、それぞれ第１のホース３９、第２のホース４８に接続される。そして、分岐部６５には、回動軸６６と一体で、回動軸６６を回動中心に回動する略１／４円弧上の遮断体６７が設けられている。
【００６２】
図９（ａ）において、実線で示した遮断体６７は、第１のホース３９側の通路を遮断している状態を示し、破線で示した遮断体６７は、第２のホース４８側の通路を遮断している状態を示している。
【００６３】
６８は、接続具６４に設けられ回動軸６６の両端を回転自在に支持する軸受け部である。
【００６４】
６９は、接続具６４の外側に位置し、回動軸６６の一端に固着された略１／４円のギヤで、外周にギヤ−歯６９ａが設けられている。７０は、ギヤ−６９ａに噛み合うと共にその回転軸方向が回動軸６６の軸方向と直交する歯車で、その歯車７０はギヤ−モータ７１で回転駆動される。
【００６５】
上記構成により、操作スイッチ４４を操作して、ギヤ−モータ７１を駆動し、歯車７０、ギヤ−６９を回転させて遮断体６７を回動させて、第１のホース３９、第２のホース４８のいずれかの通路を選択的に集塵室３３に連通させることことができる。
【００６６】
本実施例によれば、遮断体が１個で済むので、信頼性も向上し、しかも安価に形成できる効果がある。
【００６７】
【発明の効果】
以上のように、本発明によれば、延長管、ホース、吸込具等の差し替えを行うことなく、本格的な床掃除を行いながら、机、家具等の掃除も簡単に行える使用勝手の良い電気掃除機を提供することができるものである。
【図面の簡単な説明】
【図１】（ａ）本発明の第１の実施例を示す電気掃除機本体の表側を示す斜視図
（ｂ）同電気掃除機本体の裏側を示す斜視図
【図２】（ａ）同電気掃除機本体に接続される部品の接続状態を示す図
（ｂ）同電気掃除機本体に接続される他の部品の接続状態を示す図
【図３】同電気掃除機本体を背負った状態を示す側面図
【図４】（ａ）同電気掃除機本体の第１の吸入口部分の断面図
（ｂ）同第１の吸入口部分の側面図
（ｃ）同第１の吸入口部分の断面図〈遮断体５３が通路を遮断している状態〉
【図５】同電気掃除機本体の第１の吸入口、第２の吸入口の動作状態を示す断面図
【図６】本発明の第２の実施例を示す電気掃除機の電気掃除機本体の斜視図
【図７】同電気掃除機本体を腰に取り付けた様子を示す側面図
【図８】本発明の第３の実施例を示す電気掃除機の構成を示す側面図
【図９】（ａ）本発明の第４の実施例を示す電気掃除機の接続具の断面図
（ｂ）同接続具の側面図
【図１０】（ａ）従来の電気掃除機を示す全体斜視図
（ｂ）同電気掃除機に隙間ノズルを接続した状態を示す斜視図
【図１１】従来の他の電気掃除機を示す正面図
【図１２】同電気掃除機の要部断面図
【図１３】（ａ）従来の他の電気掃除機を示す全体斜視図
（ｂ）同電気掃除機の使用例を示す斜視図
（ｃ）同電気掃除機の他の使用例を示す斜視図
【符号の説明】
２９  電気掃除機本体
３１  電動送風機
３３  集塵室
３５  第１の吸入口
３６  第２の吸入口
３８  背負具
３９  第１のホース
４１  延長管
４２  第１の接続パイプ
４４  操作スイッチ
４７  床用吸込具
４８  第２のホース
５０  遮断体
５１  隙間ノズル
６０  係止部
６１  被係止部
６０  腰部
６３  取り付け具
６７  遮断体
【図１】
2004290343.tif 000003
【図２】
2004290343.tif 000004
【図３】
2004290343.tif 000005
【図４】
2004290343.tif 000006
【図５】
2004290343.tif 000007
【図６】
2004290343.tif 000008
【図７】
2004290343.tif 000009
【図８】
2004290343.tif 000010
【図９】
2004290343.tif 000011
【図１０】
2004290343.tif 000012
【図１１】
2004290343.tif 000013
【図１２】
2004290343.tif 000014
【図１３】
2004290343.tif 000015